(57)【要約】【課題】  部品点数の増大を招くことなく、ステータコアとフレームとの間の不要な風路を封鎖し得る電動送風機を提供する。【解決手段】    円筒状のフレーム１１内で回転可能に配置されるロータ１２及びフレーム１１内でロータ１２を取り巻いて配置され該ロータとの電磁作用力により該ロータを回転させるステータ２１を有する整流子モータと、ロータ１２の回転軸１３に設けられたファンとを備える電動送風機１０。フレーム１１には、ロータ１２の整流子１７及び該整流子に接触するブラシ１９を経るフレーム１１内の風路２６ａにおける風量の増大を図るために、フレーム１１の横断面で見て矩形のステータコア２４の少なくとも一辺２４ｂとフレーム１１の内周面との間隙２６ｂで形成される不要な風路（２６ｂ）を閉鎖するための変形部１１ａが設けられている。【選択図】  図１
2005054735.tif 000002
【特許請求の範囲】
【請求項１】
円筒状のフレーム内で回転可能に配置されるロータ及び前記フレーム内で前記ロータを取り巻いて配置され該ロータとの電磁作用力により該ロータを回転させるステータを有する整流子モータと、前記ロータの回転軸に設けられたファンとを備える電動送風機であって、前記フレームには、ステータコアの外周面と前記フレームの内周面との間隙で形成される風路のうち、前記ロータの整流子及び該整流子に接触するブラシを経る風路以外の他の風路を閉鎖するための変形部が設けられていることを特徴とする電動送風機。
【発明の詳細な説明】
【技術分野】
【０００１】
本発明は、整流子及び該整流子に接触するブラシからロータのロータコイルに電流が供給される整流子モータと、該整流子モータにより駆動されるファンとを備える電動送風機に関する。
【背景技術】
【０００２】
家庭用掃除機のような家庭用電化製品の負圧源として用いられる電動送風機の電気モータには、例えば特許文献１に示されているような、交流電力あるいは直流電力のいずれによっても駆動できる整流子モータが用いられている。整流子モータは、ステータの磁界と、ステータ内に配置されたロータの磁界との磁気作用により、ロータが回転する。
【０００３】
電動送風機では、整流子モータからなる電気モータの回転軸に吸引負圧を発生するためのファンが取り付けられており、ファンの回転によって生じる空気流が電動送風機内を回転軸に沿って流れる。この空気流によって、ロータのロータコイル、整流子及び整流子に接触するブラシが冷却される。
【０００４】
この従来の電動送風機が図５に横断面で概略的に示されている。図５に示すように、従来の電動送風機１は筒状のハウジングすなわちフレーム２を有し、該フレーム内にはステータ３が収容されている。ステータ３の矩形のステータコア４がフレーム２内に配置されている。ステータコア４の各横辺４ａ及び縦辺４ｂと、円筒状フレーム２の内壁との間には、それぞれ風路５ａ、５ｂが形成される。横辺４ａに対応する各風路５ａ、５ａには、ステータ３から該ステータ内のロータ６の整流子７に接触可能にブラシ８が伸長する。
【０００５】
従って、前記ファン（図示せず）の回転によって生じる空気流のうち、各風路５ａ、５ａを通る空気流は整流子７及びブラシ８の冷却に有効に作用する。しかしながら、ステータコア４の各縦辺４ｂに対応して、風路５ａ、５ａと直角方向に配置された各風路５ｂ、５ｂを通る空気流は、整流子６及びブラシ８の冷却に有効に作用することはなく、逆に、各風路５ａ、５ａを通る空気流の風量を低減させることから、整流子７及びブラシ８の冷却効果の低下を招く結果となる。
【０００６】
そこで、従来の電動送風機１では、ブラシ８が配置されない側に位置するステータコア４の各縦辺４ｂとフレーム２との間隙を封鎖するために、該フレームと別体の閉鎖部品（図示せず）をフレーム２に取り付け、これによりに各縦辺４ｂ、４ｂに対応して形成された各風路５ｂ、５ｂを閉鎖することが提案されている。この風路５ｂ、５ｂの閉鎖により整流子７及びブラシ８の冷却効果を高めることができ、これによりロータ６及びステータ４を有する整流子モータの耐久性の向上が図られる。
【特許文献１】特開平１０−４２５３４号公報（第２頁、図９）
【発明の開示】
【発明が解決しようとする課題】
【０００７】
しかしながら、ステータコアとフレームとの間の不要な風路を封鎖するために、該フレームと別体の閉鎖部品を取り付ける前記した従来技術では、この閉鎖部品の付加による部品点数の増加を招き、コストの増大を招いてしまう。
【０００８】
そこで、本発明の目的は、部品点数の増大を招くことなく、ステータコアとフレームとの間の不要な風路を封鎖し得る電動送風機を提供することにある。
【課題を解決するための手段】
【０００９】
本発明は、  円筒状のフレーム内で回転可能に配置されるロータ及び前記フレーム内で前記ロータを取り巻いて配置され該ロータとの電磁作用力により該ロータを回転させるステータを有する整流子モータと、前記ロータの回転軸に設けられたファンとを備える電動送風機であって、前記フレームには、ステータコアの外周面と前記フレームの内周面との間隙で形成される風路のうち、前記ロータの整流子及び該整流子に接触するブラシを経る風路以外の他の風路を閉鎖するための変形部が設けられていることを特徴とする。
【００１０】
本発明では、ステータコアとフレームとの間隙で形成される各風路のうち、整流子及びブラシの空冷に妨げとなる不要な風路を閉鎖するために、フレームに変形部が設けられ、この変形部で不要な風路が閉鎖される。
【発明の効果】
【００１１】
従って、本発明によれば、フレームに変形部を形成することにより、フレームとは別部材の閉鎖部品を用いることなく、適切に不要な風路を閉鎖し、これにより従来のような閉鎖部品による部品点数の増大及びそれによるコスト増を招くことなく、整流子及びブラシの空冷に有効な風路の風速を高め、その風量の増大によって効果的に整流子及びブラシを空冷することが可能となる。
【発明を実施するための最良の形態】
【００１２】
以下、本発明を図示の実施例に沿って詳細に説明する。
【実施例】
【００１３】
図１は、本発明に係る電動送風機１０のハウジングすなわちフレーム１１の斜視図であり、該フレームは全体に一端開放の円筒状を呈する。
【００１４】
フレーム１１の閉鎖端には、図２に示すように、アーマチュアからなるロータ１２の回転軸１３の一端を回転可能に支持する軸受穴１４が形成されており、ロータ１２は、その回転軸１３の一端が軸受穴１４に受け入れられるように、フレーム１１内に該フレームの軸線に沿って配置される。
【００１５】
ロータ１２は、回転軸１３に一体的に形成されたロータヨーク１５に回巻されたロータコイル１６を備え、回転軸１３に設けられた整流子１７を経て例えば交流電流の供給を受ける。回転軸１３の他端にはフレーム１１の開放端に固定されるファンカバー１８内に収容された従来よく知られたファン（図示せず）が固定される。
【００１６】
図１〜図３に示すように、フレーム１１の閉鎖端には、フレーム１１の直径方向に沿ってブラシ１９が支持されている。ブラシ１９は、従来よく知られているように、例えばカーボンからなる接触子１９ａ（図３参照）の先端がロータ１２の整流子１７に接触することにより、ロータコイル１６に電流を供給する。フレーム１１のブラシ１９の両側には、図１に明確に示すように、空気排出口２０及び補助空気排出口２０ａが形成されている。
【００１７】
フレーム１１内には、図２に示すように、ロータ１２を取り巻くステータ２１が配置されている。ステータ２１は、全体に筒状のコア本体２３と、該コア本体の一端に形成された例えば全体に矩形のコア端壁２４とを有する。コア本体２３は、その内周面で、ロータ１２を取り巻くステータコイル２２を保持する。
【００１８】
図４はフレーム１１の底面から見た底面図である。コア端壁２４は、図４に示すように、その中央部にロータ１２の整流子１７の貫通を許す開口２５を有する。コア端壁２４は、従来におけると同様に、フレーム１１内に配置されており、コア端壁２４の一対の横辺２４ａ、２４ａとフレーム１１の内周壁との間には間隙２６ａ、２６ａが形成され、コア端壁２４の一対の縦辺２４ｂ、２４ｂとフレーム１１の内周壁との間には間隙２６ｂ、２６ｂが設けられている。
【００１９】
一対の横辺２４ａに対応する間隙２６ａ、２６ａは、図３に示すように、ブラシ１９を経る風路（２６ａ、２６ａ）を形成する。他方、一対の縦辺２４ｂに対応する間隙２６ｂ、２６ｂは、図２に示すように、フレーム１１に形成された変形部１１ａにより、封止されている。
【００２０】
変形部１１ａは、図１に示すように、間隙２６ｂ、２６ｂに対応した円部分からなる弓形形状を呈し、フレーム１１の直径方向に対応して対をなして形成されている。このような変形部１１ａは、絞り加工あるいはプレス成形等により適宜形成することができる。
【００２１】
本発明に係る電動送風機１０では、ブラシ１９から整流子１７を経てロータコイル１６に電流が供給され、ステータコイル２２に同様な電流が供給されると、従来よく知られているように、ステータ２１とロータ１２との間に作用する電磁作用力により、ロータ１２が回転する。このロータ１２及びステータ２１を有する整流子モータの作動により、ロータ１２の回転軸１３が回転すると、該回転軸に固定された前記ファンが回転し、フレーム１１の開放端から閉鎖端に設けられた空気排出口２０及び補助空気排出口２０ａへ向けての空気流が生成する。この空気流の一部は、フレーム１１の内周面とステータコア２４の外周面との間隙である各間隙２６ａ、２６ａ及び間隙２６ｂ、２６ｂを経て空気排出口２０及び補助空気排出口２０ａへ向けて案内される。
【００２２】
このとき、本発明に係る電動送風機１０では、フレーム１１に形成された変形部１１ａにより、ブラシ１９が配置された間隙２６ａ、２６ａと直角方向に位置する間隙２６ｂ、２６ｂが閉鎖されている。そのため、この間隙２６ｂ、２６ｂにより構成されていた風路（２６ｂ、２６ｂ）を流れようとする空気流の一部は、変形部１１ａによりその流れを阻止されることから、ブラシ１９が配置された間隙２６ａ、２６ａにより構成される風路（２６ａ、２６ａ）を流れる。そのため、間隙２６ａ、２６ａを経てブラシ１９及び該ブラシ１９が接触する整流子１７を経る空気流が増大する。
【００２３】
従って、本発明に係る電動送風機１０によれば、フレーム１１とは別部材からなる閉鎖部材をフレーム１１に組み込むことなく、フレーム１１に形成された変形部１１ａにより不要な風路（２６ｂ、２６ｂ）を閉鎖することができる。これにより、部品点数の増大を招くことなくかつ部品増大によるコスト増を招くことなく、ブラシ１９及び整流子１７の冷却効果を高めることができ、電動送風機１０の耐久性の向上を図ることができる。
【００２４】
前記したところでは、変形部１１ａにより両風路（２６ｂ、２６ｂ）を閉鎖した例を示したが、必要に応じてそのいずれか一方のみを閉鎖し、他方の風路（２６ｂ）を連通状態におくことができる。
【００２５】
また、整流子モータが交流電源により動作する交流整流子モータについて説明したが、本発明は直流電源により動作する直流整流子モータにも適用することができる。
【図面の簡単な説明】
【００２６】
【図１】本発明に係る電動送風機のフレームを示す斜視図である。
【図２】本発明に係る電動送風機の整流子モータをロータとステータとに分解して示す図１の線II−IIに沿って得られた断面図である。
【図３】図１に示す線III-IIIに沿って得られた断面図である。
【図４】図１に示す電動送風機のロータを除く底面図である。
【図５】従来の電動送風機を示す横断面図である。
【符号の説明】
【００２７】
１０  電動送風機
１１  フレーム
１１ａ  変形部
１２  ロータ
１３  回転軸
１７  整流子
１９  ブラシ
２１  ステータ
２４  矩形のステータコア（コア端壁）
２４ｂ  一辺（縦辺）
２６ａ  風路（間隙）
２６ｂ  不要な風路（間隙）
【図１】
2005054735.tif 000003
【図２】
2005054735.tif 000004
【図３】
2005054735.tif 000005
【図４】
2005054735.tif 000006
【図５】
2005054735.tif 000007